(57)【特許請求の範囲】
【請求項１】
それぞれの対象空間の空気を調和させる複数の空気調和装置（５）の管理を、消費電力量の調整要求に基づいて行う管理装置（３、２０３、３０３）であって、
前記消費電力量の調整要求があった場合に前記消費電力量の調整要求を複数の前記空気調和装置に分配するための分配情報を作成する分配情報作成部（３１）と、
複数の前記空気調和装置の現状情報を取得する情報取得部（３１）と、
を備え、
前記分配情報作成部は、
前記情報取得部が取得した前記現状情報に基づいて、前記現状情報の時点よりも未来において前記空気調和装置が前記消費電力量の調整要求をキャンセルする確率を算出し、
前記確率が所定値よりも高い前記空気調和装置の分配量を減らして他の前記空気調和装置に振り分けるか、または、前記確率の上昇度合いが所定値よりも大きい前記空気調和装置の分配量を減らして他の前記空気調和装置に振り分けることで、前記分配情報を更新させる、
複数の空気調和装置の管理装置。
【請求項２】
前記現状情報には、それぞれの前記対象空間の現状の環境情報が含まれており、
前記環境情報には、少なくとも前記対象空間の温度情報が含まれており、
前記分配情報作成部は、前記情報取得部が取得する前記温度情報に基づいて前記対象空間における不快度合いが高くなるほど前記確率が高くなるように前記確率の算出を行う、
請求項１に記載の複数の空気調和装置の管理装置。
【請求項３】
複数の前記空気調和装置には、暖房運転中におけるデフロスト運転を実行可能なデフロスト機能付空気調和装置が含まれており、
前記情報取得部は、前記デフロスト機能付空気調和装置から前記デフロスト運転を開始するための判定に用いられる判定用情報を取得し、
前記分配情報作成部は、前記情報取得部が取得する前記判定用情報に基づいて前記デフロスト機能付空気調和装置が前記デフロスト運転を開始することを事前に予測し、前記デフロスト運転を開始することが事前に予測された前記デフロスト機能付空気調和装置については前記確率が高くなるように前記確率の算出を行う、
請求項２に記載の複数の空気調和装置の管理装置。
【請求項４】
前記情報取得部は、複数の前記空気調和装置のそれぞれにおける前記消費電力量の調整要求をキャンセルした履歴情報をさらに取得し、
前記分配情報作成部は、前記情報取得部が取得した前記現状情報と前記履歴情報の両方に基づいて前記分配情報を更新させ、
前記分配情報作成部は、前記履歴情報に基づいて前記消費電力量の調整要求をキャンセルする頻度が低いと判断した前記空気調和装置に対して優先的に前記分配量の振り分けが行われるように前記分配情報を更新させる、
請求項１から３のいずれか１項に記載の複数の空気調和装置の管理装置。
【発明の詳細な説明】
【技術分野】
【０００１】
本発明は、複数の空気調和装置の管理装置に関する。
【背景技術】
【０００２】
電力を消費する装置の稼動が集中する等の理由で消費電力量が一時的に上昇し、電力の供給が逼迫した状況になると、電力の供給量が不足する状況になることを避けるために、電力供給側の主体から、消費電力量の調整を求めるデマンド制御の要求（消費電力量の調整要求）が行われることが提案されている。
【０００３】
そして、このような消費電力量の調整要求に応じた需要家に対しては、金銭等のインセンティブが付与されることで、このような制度の運用実行性を高めている。
【０００４】
ここで、電力供給側の主体が求める消費電力量の調整要求量は膨大であり、一人の需要家の調整量では対応しきれないため、より多くの需要家を対象として管理する管理装置が用いられている。
【０００５】
管理装置は、電力供給側の主体からの消費電力量の調整要求を受け付けると、当該調整要求に対応できるように、例えば、自己が管理している複数の需要家のうち要求を受け入れることができる需要家を特定し、当該需要家に消費電力量の調整を行ってもらう。そして、消費電力量の調整に協力した当該需要家には、インセンティブが付与される。
【０００６】
ここで、例えば特許文献１（特開２０１２−１６５５１３号公報）に記載の例では、需要家毎の消費電力削減可能量のスケジュールを管理装置が定期的に受け付けて、当該管理装置が、需要家毎の電力削減スケジュールを予め定めておき、電力供給側の主体からの消費電力量の調整要求を受け付けた場合に、各需要家に予め定められている電力削減スケジュールを実行させている。
【発明の概要】
【発明が解決しようとする課題】
【０００７】
ここで、上記特許文献１の例では、実際に電力供給側の主体からの消費電力量の調整要求を受け付けた後に、予め定められている電力削減スケジュール通りに各需要家が削減を実行できない場合があることを想定し、その際に生じる誤差を解消させるためのさらなる削減を要求する誤差調整指示を生成し、いずれかの需要家に送信することを提案している。
【０００８】
ところが、当該特許文献１の例では、誤差調整指示により調整が行われるタイミングは、既に電力削減スケジュール通りに実行できない状態に到った後となっている。
【０００９】
このため、電力供給側の主体からの消費電力量の調整要求を受け付けて当該調整要求に応じている最中に、電力削減スケジュールに基づいて削減された消費電力量の範囲内に収めることができない状況が生じている。以上により、電力供給側の主体からの消費電力量の調整要求に対して安定的に対応することが難しくなっている。
【００１０】
また、空調負荷の変動に応じて消費電力量が大きく変化する空気調和装置では、特に、電力供給側の主体からの消費電力量の調整要求に安定的に応じることが難しい。
【００１１】
本発明の課題は、上述した点に鑑みてなされたものであり、消費電力量の調整要求に対してより安定的に応じることが可能な複数の空気調和装置の管理装置を提供することにある。
【課題を解決するための手段】
【００１２】
第１観点に係る複数の空気調和装置の管理装置は、それぞれの対象空間の空気を調和させる複数の空気調和装置の管理を、消費電力量の調整要求に基づいて行う管理装置であって、分配情報作成部と、情報取得部と、を備えている。分配情報作成部は、消費電力量の調整要求があった場合に消費電力量の調整要求を複数の空気調和装置に分配するための分配情報を作成する。情報取得部は、複数の空気調和装置の現状情報を取得する。分配情報作成部は、情報取得部が取得した現状情報に基づいて、現状情報の時点よりも未来において空気調和装置が消費電力量の調整要求をキャンセルする確率を算出する。そして、分配情報作成部は、確率が所定値よりも高い空気調和装置の分配量を減らして他の空気調和装置に振り分けるか、または、確率の上昇度合いが所定値よりも大きい空気調和装置の分配量を減らして他の空気調和装置に振り分けることで、分配情報を更新させる。
【００１３】
ここで、キャンセルには、消費電力量の調整要求に応じて削減を行っている最中の中断と、消費電力量の調整要求に応じる時間帯よりも前に削減予定を取りやめることと、の両方が含まれる。
【００１４】
なお、複数の空気調和装置の管理装置自体が複数の空気調和装置がそれぞれ把握している現状情報を記憶した記憶部を有しており、情報取得部は、当該記憶部から複数の空気調和装置がそれぞれ把握している現状情報を取得してもよい。また、複数の空気調和装置の管理装置は、複数の空気調和装置がそれぞれ把握している現状情報を記憶した記憶部を有しておらず、複数の空気調和装置がそれぞれ把握している現状情報は別の装置である記憶装置（例えば、ネットワークにおいて通信可能に接続されているクラウド情報端末等）において記憶されており、情報取得部は、複数の空気調和装置の管理装置と通信可能に接続された記憶装置から複数の空気調和装置がそれぞれ把握している現状情報を取得してもよい。
【００１５】
なお、「空気調和装置」という場合には、１台の室外機と１台の室内機との組合せで構成される装置であってもよいし、１台の室外機と複数台の室内機との組合せで構成される装置であってもよいし、複数台の室外機と１台の室内機との組合せで構成される装置であってもよいし、複数台の室外機と複数台の室内機との組合せで構成される装置であってもよい。これらのうち、室内機を複数台有している空気調和装置については、それらの室内機は同一の空調対象空間に設置されていてよい。
【００１６】
この複数の空気調和装置の管理装置では、各空気調和装置の現状情報に基づいて、現状情報の時点よりも未来において空気調和装置が消費電力量の調整要求をキャンセルする確率を空気調和装置毎に算出する。そして、分配情報作成部は、確率が所定値よりも高い空気調和装置の分配量を減らして他の空気調和装置に振り分けるか、または、確率の上昇度合いが所定値よりも大きい空気調和装置の分配量を減らして他の空気調和装置に振り分けることで分配情報を更新させている。このため、電力供給側の主体からの消費電力量の調整要求があったとしても、その時点までに調整要求に応じる配分の振り分け処理を終えておくことができ、消費電力量の調整要求に対して安定的に応じることが可能になる。
【００１７】
第２観点に係る複数の空気調和装置の管理装置は、第１観点に係る複数の空気調和装置の管理装置であって、現状情報には、それぞれの対象空間の現状の環境情報が含まれている。環境情報には、少なくとも対象空間の温度情報が含まれている。分配情報作成部は、情報取得部が取得する温度情報に基づいて対象空間における不快度合いが高くなるほど確率が高くなるように確率の算出を行う。
【００１８】
ここで、「不快度合い」は、特に限定されないが、例えば、対象空間の温度が所定上限温度を大きく超えているほど不快度合いが高くなるように、対象空間の温度が所定下限温度を大きく下回っているほど不快度合いが高くなるように、予め定められていてもよい。
【００１９】
この複数の空気調和装置の管理装置では、分配情報作成部が、対象空間の快適度合いが所定の不快条件を満たすこととなる場合に、消費電力量の調整要求をキャンセルする確率が高くなるように算出を行う。このように、対象空間が快適になっている場合や不快に変化していっている場合等のように、対象空間を快適にするために消費電力量の調整要求をキャンセルして消費電力量を上げる等することが見込まれる空気調和装置については確率が高くなるように算出することで、キャンセルが行われる空気調和装置をより正確に特定することが可能になる。
【００２０】
第３観点に係る複数の空気調和装置の管理装置は、第２観点に係る複数の空気調和装置の管理装置であって、複数の空気調和装置には、暖房運転中におけるデフロスト運転を実行可能なデフロスト機能付空気調和装置が含まれている。情報取得部は、デフロスト機能付空気調和装置からデフロスト運転を開始するための判定に用いられる判定用情報を取得する。分配情報作成部は、情報取得部が取得する判定用情報に基づいてデフロスト機能付空気調和装置がデフロスト運転を開始することを事前に予測し、デフロスト運転を開始することが事前に予測されたデフロスト機能付空気調和装置については確率が高くなるように確率の算出を行う。
【００２１】
ここで、「デフロスト運転を開始するための判定に用いられる判定用情報」としては、特に限定されないが、例えば、室外機に設けられている室外熱交換器の外表面温度や、外気温度等が挙げられる。
【００２２】
デフロスト機能付空気調和装置が暖房運転を行っている最中に、所定の条件を満たすことでデフロスト運転が行われる場合には、デフロスト運転中は室内の暖房が行われないため、冷えすぎてしまい、ユーザが不快に感じやすく、その後のデフロスト機能付空気調和装置の出力を上げる等して消費電力量が増大する可能性が高まる状況といえる。これに対して、この複数の空気調和装置の管理装置では、分配情報作成部が、判定用情報に基づいてデフロスト機能付空気調和装置がデフロスト運転を開始することを事前に予測した場合に、当該デフロスト機能付空気調和装置について消費電力量の調整要求をキャンセルする確率が高くなるように算出を行う。このように、デフロスト機能付空気調和装置についてデフロスト運転の開始が見込まれる状況ではキャンセルの確率が高くなるように算出することで、キャンセルが行われる空気調和装置をより正確に特定することが可能になる。
【００２３】
第４観点に係る複数の空気調和装置の管理装置は、第１観点から第３観点のいずれかに係る複数の空気調和装置の管理装置であって、情報取得部は、複数の空気調和装置のそれぞれにおける消費電力量の調整要求をキャンセルした履歴情報をさらに取得する。分配情報作成部は、情報取得部が取得した現状情報と履歴情報の両方に基づいて分配情報を更新させる。分配情報作成部は、履歴情報に基づいて消費電力量の調整要求をキャンセルする頻度が低いと判断した空気調和装置に対して優先的に分配量の振り分けが行われるように分配情報を更新させる。
【００２４】
この複数の空気調和装置の管理装置では、分配情報作成部が、消費電力量の調整要求をキャンセルする頻度が低いと判断した空気調和装置に対して優先的に分配量の振り分けが行われるように分配情報を更新させる。これにより、消費電力量の調整要求をキャンセルしにくい空気調和装置による協力が確保されるため、消費電力量の調整要求に対して安定的に応じることが可能になる。
【発明の効果】
【００２５】
第１観点に係る複数の空気調和装置の管理装置では、電力供給側の主体からの消費電力量の調整要求があったとしても、その時点までに調整要求に応じる配分の振り分け処理を終えておくことができ、消費電力量の調整要求に対して安定的に応じることが可能になる。
【００２６】
第２観点に係る複数の空気調和装置の管理装置では、キャンセルが行われる空気調和装置をより正確に特定することが可能になる。
【００２７】
第３観点に係る複数の空気調和装置の管理装置では、デフロスト機能付空気調和装置についてデフロスト運転の開始が見込まれる状況ではキャンセルの確率が高くなるように算出することで、キャンセルが行われる空気調和装置をより正確に特定することが可能になる。
【００２８】
第４観点に係る複数の空気調和装置の管理装置では、消費電力量の調整要求をキャンセルしにくい空気調和装置による協力が確保されるため、消費電力量の調整要求に対して安定的に応じることが可能になる。
【図面の簡単な説明】
【００２９】
【図１】本発明の一実施形態に係るアグリゲータを含む情報処理システム全体の概略構成図である。
【図２】空気調和装置の概略構成図である。
【図３】需要家Ａにおけるコントローラ、空気調和装置、および、スマートメータを含むブロック図である。
【図４】アグリゲータのブロック図である。
【図５】各需要家のＤＲ応答予定の例を示す図である。
【図６】各需要家のＤＲ応答予定から得られる削減予定の消費電力量の例を示す図である。
【図７】アグリゲータの処理のフローチャート（その１）である。
【図８】アグリゲータの処理のフローチャート（その２）である。
【図９】基準出力レベルと出力レベルの変動幅を示す図である。
【図１０】基準出力レベルと出力レベルの変動幅の補正を示す図である。
【図１１】基準運転台数と運転台数の変動幅を示す図である。
【図１２】基準運転台数と運転台数の変動幅の補正を示す図である。
【図１３】消費電力量の変動幅を示す図である。
【図１４】変形例（Ａ）に係るアグリゲータを含む情報処理システム全体の概略構成図である。
【図１５】変形例（Ｂ）に係るアグリゲータを含む情報処理システム全体の概略構成図である。
【発明を実施するための形態】
【００３０】
以下、一実施形態を例に挙げて説明するが、本発明はこれに限定されるものではない。
【００３１】
（１）情報処理システム全体の概略構成
図１に、情報処理システム全体の概略構成図を示す。
【００３２】
電力会社１は、発電した電力を各需要家に対して供給する会社である。
【００３３】
アグリゲータ３は、複数の需要家Ａ〜Ｅがそれぞれ有しているコントローラ４との間で通信可能に接続されており、複数の需要家Ａ〜Ｅが有している各空気調和装置５の運用管理を行う。アグリゲータ３は、電力会社１に対しても通信可能に接続されており、電力逼迫時において電力会社１からの消費電力量の調整要求の指示を受ける。なお、ここでは省略されているが、電力会社１からの消費電力量の調整要求の指示を受けるアグリゲータや大規模物件が他にも存在しており、本実施形態のアグリゲータ３はこれらよりも信頼性高く調整要求に応じることで、電力会社１からの消費電力量の調整要求の処理を優先的に行うことができることを目指す。
【００３４】
各需要家Ａ〜Ｅは、アグリゲータ３によって統括管理されている対象であり、それぞれコントローラ４、空気調和装置５、および、スマートメータ６を個別に有している。需要家は、通常はより多く無数に存在している。各需要家Ａ〜Ｅが有する各コントローラ４は、いずれも対応する需要家が有している空気調和装置５とスマートメータ６と接続されており、アグリゲータ３とも接続されている。各需要家Ａ〜Ｅがそれぞれ有している空気調和装置５は、電力会社１から供給される電力を消費することで駆動し、対象空間の空気を調和させる。
【００３５】
気象情報提供装置９は、アグリゲータ３と通信可能に接続されており、各地の気象情報をそれぞれアグリゲータに対して通信により提供する。具体的には、本実施形態の気象情報提供装置９は、地域毎に、時間帯毎の予想気温の情報を提供する。
【００３６】
以上の構成において、電力を消費する空気調和装置等の機器の稼動が一時的に集中する等の理由で消費電力量が一時的に上昇し、電力会社１から供給される電力量が逼迫した状況になると、電力の供給量が不足する状況になることを避けるために、電力会社１は、消費電力量の調整を求めるデマンド制御の要求（消費電力量の調整要求）を発信する。
【００３７】
ここで、アグリゲータ３は、単数ではなく、複数の需要家Ａ〜Ｅを管理対象に含めているため、単数の需要家を管理する場合と比べて、消費電力量の調整可能な幅をより大きくすることが可能になっている。そして、アグリゲータ３は、電力会社１が発信した消費電力量の調整要求を受信すると、例えば、消費電力量の削減要求であった場合には、管理対象の需要家Ａ〜Ｅのうち削減の協力が可能な需要家において消費電力量の削減を実行してもらう。ここで、協力が得られた需要家に対しては、電気料金を低廉化させることや金銭を付与すること等によりインセンティブが付与される。
【００３８】
なお、アグリゲータ３が管理している各需要家Ａ〜Ｅは、電力会社１が発信した消費電力量の調整要求に対する応答義務は無く、任意の自由参加型であり、インセンティブの付与を求めるものが参加することになる。また、各需要家は、一度参加を申請していた時間帯における消費電力量の調整要求についてキャンセルを行うことも可能であり、その場合には所定のペナルティ（電気料金増額等）を受けることになる。
【００３９】
ここで、アグリゲータ３は、電力会社１から消費電力量の調整要求を受信した場合にできるだけ自己が管理する需要家による調整可能範囲内で調整要求の処理を完了できるように、予め各需要家から消費電力量の調整要求に応じるか否か（応じる場合にはどの程度応じるか）の予定情報を各需要家から報告してもらうことで入手する。ただし、各需要家は、事前に提出した予定通りに空気調和装置５を運転させるとは限らず、電力会社１からの消費電力量の調整要求が発信された時であっても、需要家の予定の変更や天候の変化によって、予定通りの消費電力量の調整を実行できないおそれがある。このため、アグリゲータ３としては、予め各需要家から入手した予定情報だけでなく、将来的に生じる可能性がある変動要因の情報を考慮して、アグリゲータ３として信頼性高く調整可能な消費電力量を申告削減量（消費電力の削減可能量）として求め、予め電力会社１に対して申告しておくことが望まれる。すなわち、アグリゲータ３としては、予め各需要家から報告された予定情報等により求まる調整可能量だけではなく、当該調整可能量から将来生じうる変動要因分を差し引いて得られる消費電力量（申告削減量）を、電力会社１に対して申告するための情報として特定しておくことになる。
【００４０】
ただし、将来的に生じる可能性がある変動要因分をあまりにも大きく考慮し過ぎてしまうと、アグリゲータ３が電力会社１に申告することができる申告削減量が小さいものになってしまい、結果としてアグリゲータ３によって管理されている各需要家が、消費電力量の調整要求に応じることで得られるインセンティブの量が小さくなってしまう。
【００４１】
以上より、アグリゲータ３としては、将来生じうる変動要因分をできるだけ精度良く求めて（不必要に変動要因を大きくすることを避けて）、予め各需要家から報告された予定情報等により求まる調整可能量から差し引かれる分量を小さく抑えた申告削減量を特定することで、できるだけ自己が管理する需要家に多くのインセンティブを得てもらうことが望まれる。
【００４２】
なお、ここで、インセンティブの付与については、特に限定されるものではなく、例えば、契約内容に応じて、電力会社１から各需要家に対して付与されてもよいし、電力会社１からアグリゲータ３に対して付与されたインセンティブをアグリゲータ３が自己が管理する各需要家に対して付与するようにしてもよい。
【００４３】
なお、以下では、理解の容易のため、各需要家が１台の運転容量（馬力）の等しい空気調和装置５を有している場合であって、消費電力量の調整要求や各種スケジュールが１時間毎に設定されている場合を例に挙げて説明するが、本願発明はこれに限られるものではない。
【００４４】
（２）空気調和装置５の構成
図２に、各需要家Ａ〜Ｅが有している空気調和装置５の概略構成図を示す。
【００４５】
また、図３に、需要家Ａにおけるコントローラ４、空気調和装置５、および、スマートメータ６のブロック図を示す。
【００４６】
空気調和装置５は、冷媒回路２０と、各種温度センサ２８ａ、２８ｂ、２９を備えている。
【００４７】
冷媒回路２０は、周波数制御が可能な圧縮機２１、接続状態を切り換えて冷房運転と暖房運転を切り換えさせることが可能な四路切換弁２２、室外熱交換器２３、風量調節が可能な室外ファン２４、弁開度の調節が可能な膨張弁２５、室内熱交換器２６、風量調節が可能な室内ファン２７を有しており、これらが順に接続されて構成されている。これらのうち、圧縮機２１、四路切換弁２２、室外ファン２４、膨張弁２５、室内ファン２７は、コントローラ４と接続されており、コントローラ４の制御部４１によって各種制御が行われる。具体的には、圧縮機２１は、制御部４１の指示により駆動周波数が制御されることで、冷媒を圧縮する程度を調節することができる。また、四路切換弁２２は、制御部４１の指示により接続状態を切り換えて冷房運転と暖房運転を切り換えることができる。室外ファン２４および室内ファン２７は、それぞれ制御部４１の指示により風量を調節することができる。膨張弁２５は、制御部４１の指示により冷媒が通過する弁の開度を調節し、冷媒の減圧程度を調節することができる。
【００４８】
冷媒回路２０は、四路切換弁２２を有して構成されているため、冷房運転と暖房運転を切り換えて実行することが可能である。
【００４９】
冷房運転時では、圧縮機２１から吐出された冷媒が四路切換弁２２を介して、室外ファン２４から送られてくる外気と冷媒との間で熱交換が行われることで冷媒の凝縮器として機能する室外熱交換器２３に送られる。室外熱交換器２３で凝縮された冷媒は、膨張弁２５において減圧された後、室内ファン２７から送られてくる空調対象空間の空気と冷媒との間で熱交換が行われることで冷媒の蒸発器として機能する室内熱交換器２６に送られる。室内熱交換器２６で蒸発した冷媒は、四路切換弁２２を介して圧縮機２１の吸入側に送られる。このような動作により、空調対象空間の冷房が行われる。
【００５０】
暖房運転時では、圧縮機２１から吐出された冷媒が四路切換弁２２を介して、室内ファン２７から送られてくる空調対象空間の空気と冷媒との間で熱交換が行われることで冷媒の凝縮器として機能する室内熱交換器２６に送られる。室内熱交換器２６で凝縮された冷媒は、膨張弁２５において減圧された後、室外ファン２４から送られてくる外気と冷媒との間で熱交換が行われることで冷媒の蒸発器として機能する室外熱交換器２３に送られる。室外熱交換器２３で蒸発した冷媒は、四路切換弁２２を介して圧縮機２１の吸入側に送られる。このような動作により、空調対象空間の暖房が行われる。
【００５１】
なお、各種温度センサとしては、室外温度センサ２８ａ、室外熱交温度センサ２８ｂ、室内温度センサ２９が挙げられる。室外温度センサ２８ａは、室外ファン２４による空気流れ方向における室外熱交換器２３の上流側に設けられており、室外気温を検知する。室外熱交温度センサ２８ｂは、室外熱交換器２３の中間位置に対して設けられており、室外熱交換器２３の中間位置を通過する冷媒の温度を検知する。室内温度センサ２９は、室内ファン２７による空気流れ方向における室内熱交換器２６の上流側に設けられており、空調対象空間である室内の気温を検知する。これらの各種温度センサは、いずれも、コントローラ４と接続されており、コントローラ４の制御部４１が各検知値を把握することが可能になっている。制御部４１は、各種温度センサにおける検知値に基づいて、圧縮機２１、室外ファン２４、膨張弁２５、室内ファン２７の各種制御を行い、四路切換弁２２の接続状態の切り換えを行う。
【００５２】
例えば、冷房運転時において、コントローラ４の入力部４３を介して受け付けられる設定温度に室内温度センサ２９が検知する温度が満たない場合には、満たない程度に応じて圧縮機２１の駆動レベルが増大し、より多くの電力を消費して空調対象空間を迅速に冷やすことになる。
【００５３】
なお、空気調和装置５は、制御モードとして、通常運転制御モードと省エネ運転制御モードとを備えている。この省エネ運転制御モードは、特に限定されないが、空調対象空間を設定温度にする際に、通常運転制御モードと比べてより長い時間をかける制御であり、単位時間当たりの消費電力量が小さい制御モードである。
【００５４】
（３）スマートメータ６の構成
スマートメータ６は、空気調和装置５において消費した消費電力量を計測する。
【００５５】
スマートメータ６は、コントローラ４に接続されており、計測した消費電力量の情報をコントローラ４に対して送信する。
【００５６】
（４）コントローラ４の構成
図３に例示した需要家Ａが有するコントローラ４等のブロック図に示すように、コントローラ４は、制御部４１、入力部４２、出力部４３、記憶部４４等を備えている。なお、需要家Ｂ〜Ｅが有するコントローラ４についても同様である。
【００５７】
制御部４１は、電力会社１からの消費電力量の調整要求に応じる際の需要家（ここでは需要家Ａ）の空気調和装置５の消費電力量を調整するための各制御（詳細は後述する）や、空気調和装置５からの運転に関する情報やスマートメータ６からの情報を記憶部４４に格納させる処理や、入力部４２から受け付けた情報の処理や、出力部４３に対する出力処理等を行う。特に限定されないが、例えば、制御部４１は、ＣＰＵによって構成することができる。
【００５８】
出力部４３は、特に限定されないが、例えば、液晶表示パネル等であってよい。出力部４３には、制御部４１によって処理された情報が表示される。
【００５９】
入力部４２は、コントローラ４に対してユーザ等が情報を入力するためのものであり、特に限定されないが、例えば、出力部４３の液晶表示パネルをタッチパネル化したものが挙げられる。入力部４２は、ユーザからの後述する各種情報の入力を受け付ける。
【００６０】
記憶部４４は、特に限定されないが、例えば、ＲＯＭ、ＲＡＭ、ハードディスク等によって構成することができる。この記憶部４４には、ＤＲ予定情報４４ａ、スケジュール情報４４ｂ、出力レベル履歴情報４４ｃ、運転履歴情報４４ｄ、地域情報４４ｅ、設定温度４４ｆ、ＤＲ制御用情報４４ｇ等の各種情報や、制御部４１に実行させるための各種プログラム等が格納される。
【００６１】
ＤＲ予定情報４４ａは、電力会社１からの消費電力量の調整要求があった場合に応じる日時情報および応じる場合の当該応じる時間帯における削減予定の消費電力量を示す情報が含まれている。当該ＤＲ予定情報４４ａは、入力部４２を介してユーザ（例えば需要家）から入力を受け付けた場合に、格納または更新される。ここでは、例えば、各ユーザは、将来の１週間分のＤＲ予定情報４４ａが常時格納されているように、入力部４２から入力して、アグリゲータ３に予定を報告することができる。このＤＲ予定情報４４ａは、例えば、図５における需要家１人分のデータに相当する。なお、本件においてＤＲは、デマンドレスポンスの略である。
【００６２】
スケジュール情報４４ｂは、ユーザによる空気調和装置５の利用予定を示す情報であり、例えば、空気調和装置５を運転させる予定日時や運転させない予定日時の情報等が含まれる。また、スケジュール情報４４ｂには、通常運転制御モードではなく省エネ運転制御モードが行われる予定日時を示す情報が含まれる。さらに、スケジュール情報４４ｂには、設定温度の予定を示す情報が含まれる。当該スケジュール情報４４ｂは、入力部４２を介してユーザから入力を受け付けた場合に、格納または更新される。
【００６３】
出力レベル履歴情報４４ｃは、空気調和装置５について予め定められている定格消費電力に対する出力割合についての過去の空気調和装置５の情報である。本実施形態においては、過去の定格消費電力に対する出力割合の１時間毎の平均情報が格納されている。定格消費電力に対する出力割合（％）は、スマートメータ６によって測定された値から制御部４１が把握できる。具体的には、例えば、１時間の間定格消費電力で運転された場合を１００％とし、１時間の間運転がされなかった場合を０％とし、１時間のうち３０分だけ定格消費電力で運転が行われて残りの３０分は停止していた場合を５０％として、出力割合が特定される。
【００６４】
運転履歴情報４４ｄは、各種空気調和装置５における情報が含まれる。具体的には、空気調和装置５における消費電力量の履歴（スマートメータ６による測定値の履歴）を示す情報であり、空気調和装置５の消費電力量を日時毎に示す情報が含まれる。また、空気調和装置５の室外気温の情報も含まれる。
【００６５】
地域情報４４ｅは、当該コントローラ４と直接接続されている空気調和装置５が所在する地域を示す情報であり、入力部４２を介してユーザからの入力を受け付けることで格納される。例えば、当該空気調和装置５の住所を示す情報であってもよい。
【００６６】
設定温度４４ｆは、空気調和装置５を運転する場合の目標となる設定温度の情報であり、入力部４２を介してユーザから入力を受け付けた場合に、格納または更新される。
【００６７】
ＤＲ制御用情報４４ｇは、電力会社１からの消費電力量の調整要求があり、当該調整要求に応じる場合に行うこととなる空気調和装置５の制御内容を示す情報である。例えば、冷房運転時に特定の消費電力量の削減を行う場合に設定温度を当該削減する消費電力量に応じて段階的に上げていく制御や、暖房運転時に特定の消費電力量の削減を行う場合に設定温度を当該削減する消費電力量に応じて段階的に下げていく制御や、設定温度の変更では特定の消費電力量の削減ができない場合に運転を停止する制御等を行うための情報が格納されている。これにより、アグリゲータ３からの消費電力の削減指示を受けた需要家のコントローラ４の制御部４１は、ＤＲ予定情報４４ａにおいて予め定めていた削減予定の消費電力量の削減が実現できるまで段階的に設定温度を変更する処理を行い、設定温度の変更だけでは予め定めていた削減予定の消費電力量の削減を実現できない場合には運転を停止させる処理を行うこととなる。
【００６８】
（５）アグリゲータ３の構成
図４に、アグリゲータ３のブロック図を示す。
【００６９】
アグリゲータ３は、制御部３１、入力部３２、出力部３３、記憶部３４等を備えている。
【００７０】
制御部３１は、電力会社１からの消費電力量の調整要求に応じることができるように管理対象である需要家Ａ〜Ｅの消費電力量を管理調整するための各種処理（詳細は後述する）や、各需要家Ａ〜Ｅにおける各空気調和装置５に関する状況を収集する処理や、当該収集した情報に基づいた情報の作成処理や、当該作成した情報の記憶部３４への格納処理や、入力部３２から受け付けた情報の処理や、出力部３３に対する出力処理等を行う。特に限定されないが、例えば、制御部３１は、ＣＰＵによって構成することができる。
【００７１】
出力部３３は、特に限定されないが、例えば、液晶表示パネル等であってよい。出力部３３には、制御部３１によって処理された情報が表示される。
【００７２】
入力部３２は、アグリゲータ３に対してアグリゲータ３の管理者が情報を入力するためのものであり、特に限定されないが、例えば、出力部３３の液晶表示パネルをタッチパネル化したものが挙げられる。入力部３２は、アグリゲータ３の管理者からの各種情報の入力を受け付ける。
【００７３】
記憶部３４は、特に限定されないが、例えば、ＲＯＭ、ＲＡＭ、ハードディスク等によって構成することができる。この記憶部３４には、各需要家ＤＲ予定情報３４ａ、各需要家スケジュール情報３４ｂ、各需要家出力レベル履歴情報３４ｃ、各需要家運転履歴情報３４ｄ、各需要家地域情報３４ｅ、各需要家ＤＲ成績情報３４ｆ、ＤＲ予定まとめ情報３４ｇ、運転台数情報３４ｈ等の各種情報や、制御部３１に実行させるための各種プログラム等が格納される。
【００７４】
この記憶部３４には、以下に述べる情報のうち、各需要家によって更新されるものについては、随時制御部３１が通信を行って取得し、新しい情報に書き換えられ、これらの書き換えられた情報に基づいた情報作成や処理が随時行われる。
【００７５】
各需要家ＤＲ予定情報３４ａは、各需要家Ａ〜Ｅの全員のＤＲ予定情報４４ａをまとめた情報である。この各需要家ＤＲ予定情報３４ａは、制御部３１が、各需要家Ａ〜Ｅの全員のＤＲ予定情報４４ａを通信によって定期的に入手して集めることで作成され、記憶部３４に格納されている。具体的には、各需要家ＤＲ予定情報３４ａは、図５に示すように、各需要家の削減予定の消費電力量を示す情報である。
【００７６】
各需要家スケジュール情報３４ｂは、各需要家Ａ〜Ｅの全員のスケジュール情報４４ｂをまとめた情報である。この各需要家スケジュール情報３４ｂは、制御部３１が、各需要家Ａ〜Ｅの全員のスケジュール情報４４ｂを通信によって定期的に入手して集めることで作成され、記憶部３４に格納されている。
【００７７】
各需要家出力レベル履歴情報３４ｃは、各需要家Ａ〜Ｅの全員の出力レベル履歴情報４４ｃをまとめた情報である。この各需要家出力レベル履歴情報３４ｃは、制御部３１が、各需要家Ａ〜Ｅの全員の出力レベル履歴情報４４ｃを通信によって定期的に入手して集めることで作成され、記憶部３４に格納されている。
【００７８】
各需要家運転履歴情報３４ｄは、各需要家Ａ〜Ｅの全員の運転履歴情報４４ｄをまとめた情報である。この各需要家運転履歴情報３４ｄは、制御部３１が、各需要家Ａ〜Ｅの全員の運転履歴情報４４ｄを通信によって定期的に入手して集めることで作成され、記憶部３４に格納されている。
【００７９】
各需要家地域情報３４ｅは、各需要家Ａ〜Ｅの全員の地域情報４４ｅをまとめた情報である。この各需要家地域情報３４ｅは、制御部３１が、各需要家Ａ〜Ｅの全員の地域情報４４ｅを通信によって入手して集めることで作成され、記憶部３４に格納されている。
【００８０】
各需要家ＤＲ成績情報３４ｆは、各需要家Ａ〜Ｅにおける、過去の消費電力量の調整要求への応答成績を示す情報である。具体的には、各需要家について、自己が報告していたＤＲ予定情報４４ａに示されていた時間帯に実際に消費電力量の調整要求が電力会社１から発信された場合に、予定通りの消費電力量の削減ができたか否かを示す情報である。特に限定されないが、例えば、予定通りに消費電力量の削減ができた時間の割合としてもよい（例えば、１時間の消費電力量の調整要求が５回行われた場合において、そのうちの３回分については予定通りの削減ができた場合には、６０％とすることができる。）。
【００８１】
ＤＲ予定まとめ情報３４ｇは、制御部３１が、各需要家ＤＲ予定情報３４ａに基づいて作成する情報である。具体的には、図６に示すように、各需要家ＤＲ予定情報３４ａから把握される各需要家から報告された削減予定の消費電力量の合計量（削減予定量）を日時毎に求めて得られる情報である。これにより、アグリゲータ３が管理する各需要家の報告に基づく将来の消費電力の削減予定量を把握することが可能になっている。
【００８２】
出力レベルまとめ情報３４ｈは、制御部３１が、各需要家出力レベル履歴情報３４ｃに基づいて作成する情報である。具体的には、出力レベルまとめ情報３４ｈは、各需要家Ａ〜Ｅの空気調和装置５の過去の出力レベルの情報うち出力レベルがあった情報（出力レベルが０以外の情報：運転があった場合の情報）のみを抽出し、当該出力レベルと対応する日時の情報とを対応付けてまとめた情報である。ここでの情報の抽出は、制御部３１が行う。これにより、過去の各需要家Ａ〜Ｅの空気調和装置５について、運転が行われた場合の出力レベルを日時の情報と対応付けて把握することが可能になる。
【００８３】
運転台数情報３４ｉは、制御部３１が、各需要家運転履歴情報３４ｄに基づいて作成する情報である。具体的には、過去のある日時（本実施形態では１時間の間）におけるアグリゲータ３が管理している需要家の空気調和装置５の運転台数の合計を、日時毎に示す情報である。ここで、過去のある時間帯において空気調和装置５が駆動していたか否かは、各需要家運転履歴情報３４ｄに基づいて制御部３１が判断する。特に限定されないが、本実施形態では、制御部３１は、当該１時間の間に空気調和装置５が駆動した時間があった場合（消費電力がスマートメータ６によって当該１時間の間に電力の消費が測定された場合）に、運転が行われたと判断し、１台の運転があったとしてカウントする。なお、当該時間帯の消費電力量が基準より多い場合に運転があったとしてカウントするようにしてもよい。
【００８４】
（６）消費電力量の調整要求に関するアグリゲータ３の処理
アグリゲータ３の制御部３１は、将来的に電力会社１からの消費電力量の調整要求が発信されるよりも前に（事前に）、アグリゲータ３として応じることのできる消費電力の「申告削減量」を将来の日時毎に特定する処理を行う。そして、特定された消費電力の「申告削減量」の情報を、電力会社１に対して予め申告する（電力会社１に向けて通信により情報を送信する。）。
【００８５】
ここで、アグリゲータ３の制御部３１は、所定時間先の（本実施形態では１時間後の未来の）時点から所定時間間隔（本実施形態では１時間）の間に消費電力量の調整要求を受任する場合における対応内容（削減負担の割り振り予定等）を、当該所定時間先から１時間前の段階で（事前に）仮決めする。すなわち、アグリゲータ３の制御部３１は、現時点から１時間後の消費電力量の調整要求に対する応答内容（削減負担の割り振り予定等）を、その現時点までに各需要家のコントローラ４から収集できている情報に基づいて事前に仮決めしておく処理を行う。
【００８６】
以下では、アグリゲータ３の制御部３１が、対応内容を事前に仮決めした（ステップＳ１１〜Ｓ１６）後に、管理対象の需要家の空気調和装置５の中に予定通りの消費電力量の削減を行うことが困難なものが生じる場合の削減量の再配分処理を説明する。
【００８７】
図７および図８に、アグリゲータ３の処理の流れを示す。
【００８８】
なお、以下では、３月２０日の１３時〜１４時の時間帯の消費電力量の調整要求に対する対応内容を定める３月２０日の１２時から開始される処理について例に挙げて説明する。なお、以下の処理については、所定時間毎にそれぞれ行われるものとする。例えば、３月２０日の１３時〜１４時の時間帯の消費電力量の調整要求に対する対応内容を定める３月２０日の１２時から開始される処理と、３月２０日の１４時〜１５時の時間帯の消費電力量の調整要求に対する対応内容を定める３月２０日の１４時から開始される処理と、３月２０日の１５時〜１６時の時間帯の消費電力量の調整要求に対する対応内容を定める３月２０日の１４時から開始される処理と・・・はそれぞれ独立して行われるものとする。
【００８９】
ステップＳ１０では、アグリゲータ３の制御部３１は、１時間先から１時間の間の時間帯について（例えば、現時点が３月２０日の１２時である場合には、３月２０日の１３時〜１４時の時間帯）について、記憶部３４に格納されている出力レベルまとめ情報３４ｈを用いて、出力レベルの平均（基準出力レベルＯＳ）と分布範囲（出力レベルの変動幅ＯＬ〜ＯＨ）を求める。
【００９０】
ここで、制御部３１は、出力レベルまとめ情報３４ｈのうち求めようとする将来の日時からさかのぼる過去所定期間（本実施形態では１０日前までの分）の情報であって求めようとする将来の日時の時間帯に対応する時間帯の情報のみ（上記例では、１３時〜１４時の時間帯の情報のみ）を用いて、基準出力レベルＯＳと出力レベルの変動幅ＯＬ〜ＯＨを求める。これにより、アグリゲータ３が管理する各需要家Ａ〜Ｅの全体の空気調和装置５の最近の出力動向を把握することができる。
【００９１】
具体的には、基準出力レベルＯＳは、将来の日時（例えば、３月２０日の１３時〜１４時）からさかのぼる過去所定期間の間の情報のうち当該将来の日時に対応する時間帯についての各需要家Ａ〜Ｅの空気調和装置５の全ての出力レベルの情報（各需要家Ａ〜Ｅの空気調和装置５の３月１０日〜１９日の情報であって各日の１３時〜１４時の情報）の合計を、その情報の数で除することで得られる。
【００９２】
また、出力レベルの変動幅ＯＬ〜ＯＨは、具体的には、将来の日時（例えば、３月２０日の１３時〜１４時）からさかのぼる過去所定期間の間の情報のうち当該将来の日時に対応する時間帯についての各需要家Ａ〜Ｅの空気調和装置５の全ての出力レベルの情報（各需要家Ａ〜Ｅの空気調和装置５の３月１０日〜１９日の情報であって各日の１３時〜１４時の情報）について、図９に示すように、出力レベル別の発生頻度の分布における、基準出力レベルＯＳに対する所定の幅として求められる。
【００９３】
ここで、出力レベルの変動幅ＯＬ〜ＯＨの上限ＯＨは、基準出力レベルＯＳを超えている複数の情報を対象として、少ない方から順に、過去所定期間の間の情報のうち当該将来の日時に対応する時間帯についての全情報の数の所定割合数分（本実施形態は、例えば３割分）をカウントしていった場合に最後にカウントされる情報の出力レベルを出力レベルの変動幅の上限ＯＨとして求める。
【００９４】
また、出力レベルの変動幅ＯＬ〜ＯＨの下限ＯＬは、基準出力レベルＯＳを下回る複数の情報を対象として、多い方から順に、過去所定期間の間の情報のうち当該将来の日時に対応する時間帯についての全情報数の所定割合数分（本実施形態は、例えば３割分）をカウントしていった場合に最後にカウントされる情報の出力レベルを出力レベルの変動幅の下限ＯＬとして求める。
【００９５】
ここで、出力レベルまとめ情報３４ｈに含まれる情報であって、特定の日時における特定の需要家の特定の空気調和装置５の出力レベルの履歴情報を、１つの情報としてカウントするものとする。
【００９６】
ステップＳ１１では、アグリゲータ３の制御部３１は、ステップＳ１０で求めた基準出力レベルＯＳおよび出力レベルの変動幅ＯＬ〜ＯＨを気象情報に基づいて補正する。
【００９７】
具体的には、制御部３１は、将来の日時（例えば、３月２０日の１３時〜１４時）について、アグリゲータ３が管理している需要家Ａ〜Ｅの空気調和装置５それぞれの地域毎の当該時間帯の予想気温の情報を、気象情報提供装置９との通信により入手し、地域毎の当該予想気温の温度を合計して当該予想気温の情報の数で除することで、平均予想気温を求める。そして、各需要家運転履歴情報３４ｄから過去所定期間の間の対応する時間帯の平均過去気温（室外気温）を求める。
【００９８】
そして、平均予想気温と平均過去気温とを比べることで、空調負荷が増大するか減少するかを所定の判断手法で判断し、その判断結果に応じて、図１０に示すように、ステップＳ１０で求めた基準出力レベルＯＳおよび出力レベルの変動幅ＯＬ〜ＯＨを補正する。例えば、冷房が行われている場合には、平均予想気温が平均過去気温より高ければ高いほど、空調負荷が増大するとして、基準出力レベルＯＳおよび出力レベルの変動幅ＯＬ〜ＯＨを増大する補正を行う。
【００９９】
また、制御部３１は、記憶部３４に格納されている各需要家スケジュール情報３４ｂに基づいて、省エネ運転制御モードで運転させる予定の空気調和装置５の台数を把握し、当該台数割合が高ければ高いほど、当該将来の日時について、基準出力レベルＯＳおよび出力レベルの変動幅ＯＬ〜ＯＨを減少させる補正を行う。
【０１００】
さらに、制御部３１は、記憶部３４に格納されている各需要家スケジュール情報３４ｂに基づいて、空気調和装置５の設定温度の平均値を把握し、当該平均値が冷房時には低ければ低いほど暖房時には高ければ高いほど、基準出力レベルＯＳおよび出力レベルの変動幅ＯＬ〜ＯＨを増大させる補正を行う。
【０１０１】
ステップＳ１２では、アグリゲータ３の制御部３１は、１時間先から１時間の間の時間帯について（例えば、現時点が３月２０日の１２時である場合には、３月２０日の１３時〜１４時の時間帯）について、記憶部３４に格納されている運転台数情報３４ｉを用いて、運転台数の平均（基準運転台数ＮＳ）と分布範囲（運転台数の変動幅ＮＬ〜ＮＨ）を求める。
【０１０２】
ここで、制御部３１は、運転台数情報３４ｉのうち求めようとする将来の日時からさかのぼる過去所定期間（本実施形態では１０日前までの分）の情報であって求めようとする将来の日時の時間帯に対応する時間帯の情報のみ（上記例では、１３時〜１４時の時間帯の情報のみ）を用いて、基準運転台数ＮＳと運転台数の変動幅ＮＬ〜ＮＨを求める。これにより、アグリゲータ３が管理する各需要家Ａ〜Ｅの空気調和装置５の最近の運転台数の動向を把握することができる。
【０１０３】
具体的には、基準運転台数ＮＳは、将来の日時（例えば、３月２０日の１３時〜１４時）からさかのぼる過去所定期間の間の当該将来の日時に対応する時間帯についての各日の各需要家Ａ〜Ｅの空気調和装置５の運転台数の情報（各需要家Ａ〜Ｅの空気調和装置５の３月１０日〜１９日の情報であって各日の１３時〜１４時の運転台数の情報）の合計（運転台数の合計）を、その各日の日数で除することで得られる。
【０１０４】
また、運転台数の変動幅ＮＬ〜ＮＨは、具体的には、将来の日時（例えば、３月２０日の１３時〜１４時）からさかのぼる過去所定期間の間の当該将来の日時に対応する時間帯についての各日の各需要家Ａ〜Ｅの空気調和装置５の運転台数の情報（各需要家Ａ〜Ｅの空気調和装置５の３月１０日〜１９日の情報であって各日の１３時〜１４時の運転台数の情報）について、図１１に示すように、運転台数別の発生頻度の分布における、基準運転台数ＮＳに対する所定の幅として求められる。
【０１０５】
ここで、運転台数の変動幅ＮＬ〜ＮＨの上限ＮＨは、基準運転台数ＮＳを超えている複数の情報を対象として、少ない方から順に、過去所定期間の間の情報のうち当該将来の日時に対応する時間帯についての全情報の数の所定割合数分（本実施形態は、例えば３割分）をカウントしていった場合に最後にカウントされる情報の運転台数を運転台数の変動幅の上限ＮＨとして求める。
【０１０６】
また、運転台数の変動幅ＮＬ〜ＮＨの下限ＯＬは、基準運転台数ＮＳを下回る複数の情報を対象として、多い方から順に、過去所定期間の間の情報のうち当該将来の日時に対応する時間帯についての全情報数の所定割合数分（本実施形態は、例えば３割分）をカウントしていった場合に最後にカウントされる情報の運転台数を運転台数の変動幅の下限ＮＬとして求める。
【０１０７】
ステップＳ１３では、アグリゲータ３の制御部３１は、ステップＳ１２で求めた基準運転台数ＮＳおよび運転台数の変動幅ＮＬ〜ＮＨを補正する。
【０１０８】
具体的には、制御部３１は、将来の日時（例えば、３月２０日の１３時〜１４時）について、各需要家スケジュール情報３４ｂから対応する将来の日時における各需要家の空気調和装置５の運転予定の情報を取得して、過去の運転の履歴情報と比較し、その判断結果に応じて、図１２に示すように、ステップＳ１２で求めた基準運転台数ＮＳおよび運転台数の変動幅ＮＬ〜ＮＨを補正する。
【０１０９】
具体的には、制御部３１は、各需要家スケジュール情報３４ｂからある将来の日時についての運転予定の有無を読み出し、アグリゲータ３が管理している各需要家Ａ〜Ｅの空気調和装置５のうちの運転予定の空気調和装置５の台数である予定運転台数を求める。そして、制御部３１は、さらに各需要家運転履歴情報３４ｄを読み出して、過去所定期間における当該将来の日時に対応する時間帯の運転台数の平均である平均過去運転台数を求める。なお、制御部３１は、各需要家運転履歴情報３４ｄの情報において、出力レベルがあった情報（出力レベルが０以外の情報）を運転があった情報として取り扱う。ここで、制御部３１は、予定運転台数と平均過去運転台数との比較結果に応じて、基準運転台数ＮＳおよび運転台数の変動幅ＮＬ〜ＮＨを補正する。具体的には、例えば、予定運転台数の方が平均過去運転台数よりも多ければ多いほど、基準運転台数ＮＳおよび運転台数の変動幅ＮＬ〜ＮＨを増大する補正を行う。
【０１１０】
ステップＳ１４では、アグリゲータ３の制御部３１は、ステップＳ１１で得られた基準出力レベルＯＳ（補正後のもの）および出力レベルの変動幅ＯＬ〜ＯＨ（補正後のもの）と、ステップＳ１３で得られた基準運転台数ＮＳ（補正後のもの）および運転台数の変動幅ＮＬ〜ＮＨ（補正後のもの）に基づいて、図１３のグラフに示す「消費電力量の変動幅」を求める。
【０１１１】
まず、制御部３１は、基準出力レベルＯＳと基準運転台数ＮＳとを所定の計算式に代入することで基準点ＳＳを求める（例えば、これらの値を掛け合わせたものに所定の係数を乗じる等により求める）。そして、消費電力量０と運転台数０からなる点と当該基準点ＳＳとの両方を通過する基準ラインを求める。また、出力レベルの変動幅の上限ＯＨと基準運転台数ＮＳとを上記所定の計算式に代入することで上限点ＳＨを求め、同様に消費電力量０と運転台数０からなる点と当該上限点ＳＨとの両方を通過する上限ラインを求める。さらに、出力レベルの変動幅の下限ＯＬと基準運転台数ＮＳとを上記所定の計算式に代入することで下限点ＳＬを求め、同様に消費電力量０と運転台数０からなる点と当該下限点ＳＬとの両方を通過する下限ラインを求める。そして、ここで求めた上限ラインと運転台数の変動幅の上限ＮＨとが重なる点（点ＨＨ）における消費電力量を消費電力量の上限ＰＨとして求める。また、下限ラインと運転台数の変動幅の下限ＮＬとが重なる点（点ＬＬ）における消費電力量を消費電力量の下限ＰＬとして求める。そして、消費電力量の上限ＰＨから消費電力量の下限ＰＬを差し引いて得られる値を「消費電力量の変動幅」として求める。
【０１１２】
ステップＳ１５では、アグリゲータ３の制御部３１は、記憶部３４からＤＲ予定まとめ情報３４ｇを読み出して、将来の日時（例えば、３月２０日の１３時〜１４時）の削減予定量（各需要家から報告された削減予定の消費電力量の合計量）を把握する。そして、制御部３１は、この削減予定量からステップＳ１４において求めた消費電力量の変動幅を差し引くことで、電力会社１に対して申告するための「申告削減量」を求める。
【０１１３】
なお、アグリゲータ３の制御部３１は、この「申告削減量」を通信により電力会社１に送信する。これにより、電力会社１は、消費電力量の調整要求を発信する際に、申告された「申告削減量」の量に基づいて、アグリゲータ３や他のアグリゲータの中から発信先のアグリゲータを選択することになる。
【０１１４】
ステップＳ１６では、アグリゲータ３の制御部３１は、電力会社１からの消費電力量の調整要求が将来あった場合における削減負担の割り振り予定を定める。具体的には、制御部３１は、記憶部３４から各需要家ＤＲ予定情報３４ａと各需要家ＤＲ成績情報３４ｆを読み出して、将来の日時（例えば、３月２０日の１３時〜１４時）における、消費電力量の調整要求に応じる需要家を特定しつつ、特定された需要家の中から成績の良い順番で削減負担の割り振り予定を仮決めしていく（消費電力量の調整要求を満たすことができる順番まで割り振ることとなる。）。このように成績順に割り振ることで、電力会社１からの消費電力量の調整要求があった場合に、できるだけ予定通りに需要家に削減等を行わせて、アグリゲータ３としての信頼性を確保することができる。
【０１１５】
なお、この仮決めでは、例えば、３月２０日の１３時〜１４時の時間帯について各需要家からの削減予定の消費電力量が図６に示すように報告されている場合において、各需要家ＤＲ成績情報３４ｆから把握される成績順が需要家Ａ、需要家Ｂ、需要家Ｃ、需要家Ｄ、需要家Ｅの順であった場合に、電力会社１から３月２０日の１３時〜１４時の時間帯について５００ｋＷの消費電力量の調整要求があった場合には、最も成績のよい需要家Ａに削減予定の消費電力量である３００ｋＷの削減を負担させつつ、次に成績のよい需要家Ｂに削減予定の消費電力量である２００ｋＷの削減を負担させることにより対応する、という予定を仮決めする。
【０１１６】
ステップＳ１７では、アグリゲータ３の制御部３１は、ステップＳ１６における仮決めを行った後において、管理対象の需要家Ａ〜Ｅの空気調和装置５の中に予定通りの消費電力量の削減を行うことが困難なものが生じているか否かの判断を行う。具体的には、ステップＳ１６における仮決めを行った時間帯における消費電力量の調整要求に応じる予定をキャンセルする確率であるキャンセル確率が所定値よりも高い空気調和装置５や、キャンセル確率が所定上昇速度より高い速度で上昇している空気調和装置５があるか否かを判断する。
【０１１７】
ここで、キャンセル確率とは、各需要家の空気調和装置５の室内温度センサ２８ａの検出温度が、各需要家の空気調和装置５毎に予め定めた快適温度範囲から外れる度合いが大きいほど高い値となるように定められている。具体的には、特に限定されないが、本実施形態においては、快適温度範囲が２０℃〜２５℃であった場合に、冷房時において室内温度センサ２９の検出温度が上限を超える２６℃であった場合には２０％であり、検出温度が２７℃であった場合には４０％であり、検出温度が２８℃であった場合には６０％である等のように、快適温度範囲を１度外れる毎に２０％ずつキャンセル確率が増大するように設定されている。
【０１１８】
そして、本実施形態では、ステップＳ１６における仮決めを行った後であって当該仮決めされた内容を実行しようとする時間帯が開始される前の段階で、キャンセル確率が各需要家の空気調和装置５のうち５０％よりも高くなるものが生じたか否か、および、キャンセル確率の上昇速度が３０％／１時間を超えているものが生じたか否か、を判断する。
【０１１９】
なお、アグリゲータ３の制御部３１は、ステップＳ１６における仮決めを行った後であって当該仮決めされた内容を実行しようとする時間帯が開始される前の段階で、各需要家の空気調和装置５の室内温度センサ２９の検出温度を通信によって常時取得することで、上記キャンセル確率およびキャンセル確率の上昇速度を把握する。
【０１２０】
ここで、キャンセル確率が所定値よりも高いものや、キャンセル確率の上昇速度が所定値よりも高いものが生じた場合いは、ステップＳ１８に移行し、生じなかった場合にはステップＳ１９に移行する。
【０１２１】
ステップＳ１８では、アグリゲータ３の制御部３１は、キャンセル確率が所定値よりも高いものや、キャンセル確率の上昇速度が所定値よりも高いものが生じたことにより、削減負担の割り振り予定の再配分を行う。
【０１２２】
具体的には、キャンセル確率等が高いと判断された需要家の空気調和装置５については、たとえ各需要家ＤＲ成績情報３４ｆから把握される成績が良好であっても、消費電力量の調整要求に応じる際の負担優先順位を、他の需要家の空気調和装置５よりも後回しにする処理を行う。
【０１２３】
例えば、３月２０日の１３時〜１４時の時間帯について各需要家からの削減予定の消費電力量が図６に示すように報告されている場合であって、各需要家ＤＲ成績情報３４ｆから把握される成績順が需要家Ａ、需要家Ｂ、需要家Ｃ、需要家Ｄ、需要家Ｅの順であった場合において、３月２０日の１３時〜１４時の時間帯において需要家Ｂにおけるキャンセル確率が所定値よりも高いと判断された場合には、振り分け優先順位を需要家Ａ、需要家Ｃ、需要家Ｄ、需要家Ｅ、需要家Ｂの順に変更する。そして、電力会社１から３月２０日の１３時〜１４時の時間帯について５００ｋＷの消費電力量の調整要求があった場合には、最も成績のよい需要家Ａに削減予定の消費電力量である３００ｋＷの削減を負担させつつ、次に成績のよい需要家Ｂの代わりに、さらに次に成績のよい需要家Ｃに削減予定の消費電力量である１００ｋＷの削減を負担させつつ、残りの１００ｋＷの調整要求をさらに次に成績のよい需要家Ｄに削減予定の消費電力量２００ｋＷの一部として負担させることにより対応する、という予定となるように削減負担の割り振りを再配分する。
【０１２４】
なお、キャンセル確率が高いものやキャンセル確率の上昇速度が高いものが複数生じた場合には、上記振り分け優先順位では、キャンセル確率が高いものほど後回しになるように、キャンセル確率の上昇速度が高いものほど後回しになるようにする。また、キャンセル確率とキャンセル確率の上昇速度との比較では、特に限定されないが、本実施形態では、キャンセル確率とキャンセル確率の１時間当たりの上昇速度の２倍の値とを比較して振り分け優先順位を定めることとする。
【０１２５】
ステップＳ１９では、仮決めされた内容を実行しようとする時間帯もしくは再配分された内容を実行しようとする時間帯が開始される時刻になったか否かを判断する（上記例では、３月２０日の１３時になったか否かを判断する。）。ここで、当該時刻になっていない場合にはステップＳ１７に戻り処理を繰り返し、当該時刻になっている場合にはステップＳ２０に進む。
【０１２６】
ステップＳ２０では、アグリゲータ３の制御部３１は、電力会社１からの消費電力量の調整要求の発信を受信したか否かを判断する。ここで、受信した場合にはステップＳ２２に移行し、受信していない場合にはステップＳ２１に移行する。
【０１２７】
ステップＳ２１では、アグリゲータ３の制御部３１は、仮決めされた内容を実行しようとする時間帯もしくは再配分された内容を実行しようとする時間帯が、終了しているか否かを判断する。ここで、当該時間帯が終了していない場合にはステップＳ２０に戻る。また、当該時間帯が終了している場合には、仮決めされた内容を実行しようとする時間帯もしくは再配分された内容を実行しようとする時間帯の間に、消費電力量の調整要求の受け入れが無かったものとして、処理を終了する。
【０１２８】
ステップＳ２２では、アグリゲータ３の制御部３１は、ステップＳ１７においてキャンセル確率等が高いものが生じなかった場合にはステップＳ１６において仮決めしていた削減負担の割り振り予定にしたがって、ステップＳ１８において削減負担の割り振り予定の再配分が行われていた場合には当該再配分された削減負担の割り振り予定にしたがって、各需要家のコントローラ４に対して消費電力の削減を行うように指示を送る。
【０１２９】
なお、これにより消費電力の削減指示を受け付けた各需要家のコントローラ４の制御部４１は、コントローラ４の記憶部４４に格納されているＤＲ制御用情報４４ｇに従って空気調和装置５の制御を行うことで消費電力量の削減を行う。
【０１３０】
ステップＳ２３では、アグリゲータ３の制御部３１は、消費電力量の調整要求の指示を送信した各需要家のコントローラ４との間で通信を行い、予定通りの消費電力量の削減が予定通り行われたか否かの情報を受信する。
【０１３１】
ステップＳ２４では、アグリゲータ３の制御部３１は、予定通りに削減が行われていた需要家に対してはインセンティブを付与するとともに、各需要家ＤＲ成績情報３４ｆにおいて該当する需要家の成績を上昇させる更新処理を行う。また、予定通りに削減を行うことができなかった需要家に対してはペナルティを課するとともに、各需要家ＤＲ成績情報３４ｆにおいて該当する需要家の成績を下降させる更新処理を行う。なお、アグリゲータ３が電力会社１からインセンティブ等を受けている場合には、各需要家はアグリゲータ３から直接インセンティブ等を受け、アグリゲータ３が電力会社１からインセンティブ等を受けていない場合には、各需要家は電力会社１から直接インセンティブ等を受けることになる。以上により、処理を終了する。
【０１３２】
（７）アグリゲータ３の特徴
本実施形態のアグリゲータ３は、削減負担の割り振り予定の仮決めを行った後の時点において消費電力量の調整要求のキャンセル確率等が高い需要家の空気調和装置５が生じた場合には、各需要家から報告された削減予定の消費電力量と各需要家の成績順のみに基づいて削減負担の分配を決めるのではなく、キャンセル確率が高い需要家については分配優先順位を下げて他の需要家に配分することで、削減負担の割り振り予定の再配分を行っている。ここで、当該削減負担の割り振り予定の再配分は、消費電力量の調整要求を実行する予定の時間帯が開始される前の段階で行われる。
【０１３３】
これにより、削減負担の割り振り予定の仮決めを行った後の時点において消費電力量の調整要求のキャンセル確率等が高い需要家の空気調和装置５が生じたとしても、当該キャンセル確率の高い需要家に割り振られる程度を無くするか小さくしておくことにより、当該消費電力量の調整要求の実行直前のキャンセルや実行中におけるキャンセルによる削減不履行の発生を抑制し、アグリゲータ３としての信頼性を高めることが可能になっている。
【０１３４】
なお、当該キャンセル確率等が高い需要家を除いた点以外は、過去の消費電力量の調整要求の成績が良好な需要家の順に削減負担を割り振るため、予定通りの削減を行う可能性の高い需要家に削減を優先的に負担させることで、削減要求の不履行の発生を抑制しやすくすることが可能になっている。
【０１３５】
（８）変形例
（８−１）変形例Ａ
上記実施形態では、アグリゲータ３が記憶部３４において各種情報を格納している場合について例に挙げて説明した。
【０１３６】
しかし、例えば、図１４の情報処理システム全体の概略構成図に示すように、当該各種情報を有していないアグリゲータ２０３に対して通信回線を介して通信可能に接続された空調遠隔監視装置２を備え、当該空調遠隔監視装置２が有する記憶部において当該各種情報が格納されていてもよい。そして、アグリゲータ２０３は、通信によって空調遠隔監視装置２から各種情報を取得して、削減負担の割り振り予定の再配分や消費電力量の変動幅や申告削減量の算出を行うようにしてもよい。
【０１３７】
（８−２）変形例Ｂ
上記実施形態では、電力会社１からの消費電力量の調整要求を直接受信するアグリゲータ３を例に挙げて説明した。
【０１３８】
しかし、空気調和装置の管理装置としては、上記実施形態のアグリゲータ３に限られず、例えば、図１５の情報処理システム全体の概略構成図に示すように、アグリゲータ３の管理対象の１つとしてのサブアグリゲータ３０３であってもよい。この場合には、サブアグリゲータ３０３は、独自の管理対象として需要家Ｆ〜Ｊ（それぞれ空気調和装置５を有する）を有しており、電力会社１からの消費電力量の調整要求を直接受け付けたアグリゲータ３からの調整要求を受け付けて管理対象である需要家Ｆ〜Ｊにおいて振り分け等の処理を行う。サブアグリゲータ３０３は、自己の管理対象となる各需要家Ｆ〜ＪのＤＲ予定情報やスケジュール情報や出力レベル履歴情報や運転履歴情報等を集めてまとめてアグリゲータ３に送付する。これにより、アグリゲータ３は、サブアグリゲータ３０３の管理対象である需要家Ｆ〜Ｊを、上記実施形態における１人の需要家であるかのように取り扱う。サブアグリゲータ３０３の他の構成は、上記アグリゲータ３と同様であるため、説明を省略する。
【０１３９】
（８−３）変形例Ｃ
上記実施形態では、冷房時において、室内温度センサ２９の検出温度が快適温度範囲の上限を超えるほどキャンセル確率が高くなるように設定されている場合を例に挙げて説明した。
【０１４０】
これに対して、例えば、暖房時においては、室内温度センサ２９の検出温度が快適温度範囲の下限を下回るほどキャンセル確率が高くなるように設定されていてもよい。
【０１４１】
また、当該暖房運転中において、空気調和装置５がデフロスト運転を開始することが予見された場合に、キャンセル確率がより高くなるようにキャンセル確率を補正するようにしてもよい。
【０１４２】
具体的には、快適温度範囲が２０℃〜２５℃であった場合に、暖房時において室内温度センサ２９の検出温度が下限を下回る１９℃であった場合には２０％であり、検出温度が１８℃であった場合には４０％であり、検出温度が１７℃であった場合には６０％である等のように、快適温度範囲を１度外れる毎に２０％ずつキャンセル確率が増大するように設定されていてもよい。そして、このようにして特定されたキャンセル確率について、空気調和装置５がデフロスト運転を開始することが予見された場合には、さらに所定％（例えば１０％）増大させるように補正してもよい。
【０１４３】
このようにデフロスト運転が行われる場合には、デフロスト運転中に室内を暖房することができないため、室内温度がさらに低下することが予見され、不快に感じた需要家が暖房運転の出力を上げる等することで、消費電力量の調整要求に予定通り応じない可能性がある。したがって、このような場合には、当該デフロスト運転が予見されている需要家の空気調和装置５については、キャンセル確率を高めに補正することで、削減要求の不履行の発生を抑制しやすくすることが可能になる。
【０１４４】
なお、デフロスト運転としては、暖房運転時において冷媒回路２０の四路切換弁２２の接続状態を冷房サイクルに切り換えて、室外熱交換器２３に対して圧縮機２１の吐出ガスを供給する運転が挙げられる。
【０１４５】
ここで、特に限定されないが、各需要家の空気調和装置５においてデフロスト運転の開始条件が満たされる場合としては、暖房運転開始または最後のデフロスト運転終了時から所定時間が経過しておりかつ室外熱交換器の温度（室外熱交温度センサ２８ｂの検知温度）が所定温度を下回ったとき、もしくは、暖房運転開始または最後のデフロスト運転終了時から所定時間が経過しておりかつ外気温度（室外温度センサ２８ａの検知温度）が所定温度を下回ったとき、のいずれかの条件を満たした場合とすることができる。そして、この場合に、アグリゲータ３の制御部３１は、仮決めを行った後であって当該仮決めされた内容を実行しようとする時間帯が開始される前の段階で、各需要家のコントローラ４との間で通信を行い、室外熱交温度センサ２８ｂの検知温度、室外温度センサ２８ａの検知温度、デフロスト運転や暖房運転の履歴情報を入手することで、デフロスト運転が開始される可能性を把握することができる。具体的には、例えば、調整要求に応じる時間帯およびその直前（例えば、３０分以内）において暖房運転開始または最後のデフロスト運転終了時からの所定時間が経過することとなっており、室外熱交温度センサ２８ｂの検知温度の温度低下速度や室外温度センサ２８ａの検知温度の温度低下速度から、調整要求に応じる時間帯およびその直前において満たすことになると判断される場合に、当該需要家の空気調和装置５についてはキャンセル確率を高めに補正してもよい。
【０１４６】
（８−４）変形例Ｄ
上記実施形態では、過去の消費電力量の調整要求の成績が良好な需要家の順に削減負担を割り振ることで仮決めを行い、キャンセル確率等が高い需要家を除いて成績の良好な需要家の順に削減負担を割り振ることで再配分を行う場合を例に挙げて説明した。
【０１４７】
これに対して、例えば、削減負担の割り振りは、これに限定されるものではなく、例えば、各需要家からの削減予定の消費電力量の多さに基づいて消費電力量の調整要求の削減負担を割り振り、キャンセル確率等が高い需要家については割り振り率を下げて再配分するようにしてもよい。
【０１４８】
具体的には、例えば、上記実施形態の図６に示す３月２０日の１３時〜１４時の時間帯における消費電力量の調整要求の削減負担の割り振りを行う場合には、需要家Ａ（削減予定の消費電力量が３００ｋＷ）：需要家Ｂ（削減予定の消費電力量が２００ｋＷ）：需要家Ｃ（削減予定の消費電力量が１００ｋＷ）：需要家Ｄ（削減予定の消費電力量が２００ｋＷ）：需要家Ｅ（削減予定の消費電力量が２００ｋＷ）＝３：２：１：２：２となるように割り振りを行う。すなわち、消費電力量の調整要求において５００ｋＷの削減要求があった場合いは、需要家Ａが１５０ｋＷ負担し、需要家Ｂが１００ｋＷ負担し、需要家Ｃが５０ｋＷ負担し、需要家Ｄが１００ｋＷ負担し、需要家Ｅが１００ｋＷ負担することとなる。
【０１４９】
そして、需要家Ｂの空気調和装置５のキャンセル確率等が高いと判断された場合には、需要家Ｂの分配率を例えば１／５に下げて、残りを他の需要家Ａ、Ｃ、Ｄ、Ｅにおいて削減予定の消費電力量の多さに基づいて負担させることとなる。具体的には、消費電力量の調整要求において５００ｋＷの削減要求があった場合いは、需要家Ａが１８０ｋＷ負担し、需要家Ｂが２０ｋＷ負担し、需要家Ｃが６０ｋＷ負担し、需要家Ｄが１２０ｋＷ負担し、需要家Ｅが１２０ｋＷ負担することとなる。
【０１５０】
以上の場合には、キャンセルが生じることによる削減不履行の発生を抑制させつつ、各需要家から報告されている削減予定の消費電力量の多さに基づいた配分によって、余裕のある需要家に対して多めの削減負担を割り当てて、特定の需要家において削減の無理がしょうじにくいようにすることが可能になる。
【符号の説明】
【０１５１】
３    アグリゲータ（管理装置）
５    空気調和装置
３１    制御部（情報取得部、分配情報作成部）
２０３  アグリゲータ（管理装置）
３０３  サブアグリゲータ（管理装置）
【先行技術文献】
【特許文献】
【０１５２】
【特許文献１】特開２０１２−１６５５１３号公報
【要約】
【課題】消費電力量の調整要求に対してより安定的に応じることが可能な複数の空気調和装置の管理装置を提供する。
【解決手段】アグリゲータ３の制御部３１は、削減負担の割り振り予定の仮決めを行った後の時点において消費電力量の調整要求のキャンセル確率等が高い需要家の空気調和装置５が生じた場合には、キャンセル確率が高い需要家については分配優先順位を下げて他の需要家に配分することで、削減負担の割り振り予定の再配分を行う。
【選択図】図８【図１】
0005994900.tif 000002
【図２】
0005994900.tif 000003
【図３】
0005994900.tif 000004
【図４】
0005994900.tif 000005
【図５】
0005994900.tif 000006
【図６】
0005994900.tif 000007
【図７】
0005994900.tif 000008
【図８】
0005994900.tif 000009
【図９】
0005994900.tif 000010
【図１０】
0005994900.tif 000011
【図１１】
0005994900.tif 000012
【図１２】
0005994900.tif 000013
【図１３】
0005994900.tif 000014
【図１４】
0005994900.tif 000015
【図１５】
0005994900.tif 000016